(57)【要約】【課題】水分を多く含んだ加熱用燃料が供給されることに起因する失火を、燃焼バーナの向きなどを変更することなく防止して安定した燃焼を行うようにした燃料電池の改質器用燃焼バーナを提供する。【解決手段】改質用燃料と水蒸気を反応させて燃料電池に供給されるべき改質ガスを生成する改質触媒を加熱する、燃料電池の改質器用燃焼バーナ（燃焼バーナ１００）において、加熱用燃料を導入する加熱用燃料導入部１１０と、加熱用燃料の流れにおいて加熱用燃料導入部１１０の下流側に配置されて加熱用燃料に含まれる水分を吸収する耐熱性三次元多孔体１１６と、耐熱性三次元多孔体１１６の下流側に配置され、点火されるとき加熱用燃料を燃焼させる点火電極１２０とを備える。【選択図】図３
2007311164.tif 000002
【特許請求の範囲】
【請求項１】
改質用燃料と水蒸気を反応させて燃料電池に供給されるべき改質ガスを生成する改質触媒を加熱する、燃料電池の改質器用燃焼バーナにおいて、加熱用燃料を導入する導入部と、前記加熱用燃料の流れにおいて前記導入部の下流側に配置されて前記加熱用燃料に含まれる水分を吸収する吸水部と、前記吸水部の下流側に配置され、点火されるとき前記加熱用燃料を燃焼させる点火部とを備えることを特徴とする燃料電池の改質器用燃焼バーナ。
【請求項２】
前記吸水部は、耐熱性三次元多孔体からなることを特徴とする請求項１記載の燃料電池の改質器用燃焼バーナ。
【請求項３】
前記耐熱性三次元多孔体は、発泡金属とセラミックス多孔体の内のいずれかからなることを特徴とする請求項２記載の燃料電池の改質器用燃焼バーナ。
【発明の詳細な説明】
【技術分野】
【０００１】
この発明は、燃料電池の改質器用燃焼バーナに関する。
【背景技術】
【０００２】
燃料電池の改質器は、改質用燃料（例えば、メタンを主成分とする都市ガスなど）と水蒸気を改質触媒で反応させ、燃料電池に供給されるべき水素を含有した改質ガス（水素混合ガス）を生成する。上記した改質触媒による反応（水蒸気改質反応）は吸熱反応であるため、改質触媒を外部から連続的に加熱する必要がある。そこで、燃料電池の改質器においては一般に、加熱用燃料を燃焼バーナによって燃焼させて改質触媒を加熱している（例えば、特許文献１参照）。
【特許文献１】特開２００３−１４８７０９号公報（段落００１４〜００１７，００２２，００２３、図１，２など）
【発明の開示】
【発明が解決しようとする課題】
【０００３】
ところで、燃焼バーナで燃焼させられる加熱用燃料は、燃料電池の始動時においては改質用燃料などの乾燥した気体からなるが、通常運転時においては改質器で生成された改質ガスや燃料電池で使用されなかった改質ガス（未反応ガス）などの湿潤な気体からなる。そのため、外気温が低いときなどにあっては、加熱用燃料（具体的には、改質ガス）に含まれる水分が結露し、結露水が発生することがある。
【０００４】
結露水を含んだ加熱用燃料が燃焼バーナに供給させられると、燃焼バーナの点火部、即ち、点火電極が湿ってしまい、それによって失火などが起こり、安定した燃焼を行うことができないという不都合が生じる恐れがあった。そこで、燃焼バーナの向きを変更、あるいは気水分離器を備えるなどして水分を含んだ加熱用燃料が点火部に接触しないようにすることも考えられるが、改質器のレイアウト上、困難な場合が多い。
【０００５】
従って、この発明の目的は上記した課題を解決し、水分を多く含んだ加熱用燃料が供給されることに起因する失火を、燃焼バーナの向きなどを変更することなく防止して安定した燃焼を行うようにした燃料電池の改質器用燃焼バーナを提供することにある。
【課題を解決するための手段】
【０００６】
上記の目的を解決するために、請求項１にあっては、改質用燃料と水蒸気を反応させて燃料電池に供給されるべき改質ガスを生成する改質触媒を加熱する、燃料電池の改質器用燃焼バーナにおいて、加熱用燃料を導入する導入部と、前記加熱用燃料の流れにおいて前記導入部の下流側に配置されて前記加熱用燃料に含まれる水分を吸収する吸水部と、前記吸水部の下流側に配置され、点火されるとき前記加熱用燃料を燃焼させる点火部とを備えるように構成した。
【０００７】
請求項２にあっては、前記吸水部は、耐熱性三次元多孔体からなるように構成した。
【０００８】
請求項３にあっては、前記耐熱性三次元多孔体は、発泡金属とセラミックス多孔体の内のいずれかからなるように構成した。
【発明の効果】
【０００９】
請求項１に係る燃料電池の改質器用燃焼バーナにあっては、加熱用燃料を導入する導入部と、加熱用燃料の流れにおいて導入部の下流側に配置されて加熱用燃料（具体的には、改質ガスや未反応ガス）に含まれる水分を吸収する吸水部と、吸水部の下流側に配置され、点火されるとき加熱用燃料を燃焼させる点火部とを備えるように構成したので、加熱用燃料に含まれる水分の多くは吸水部によって吸収され、点火部に接触することがない。それにより、水分を多く含んだ加熱用燃料が燃焼バーナに供給されることに起因する失火を、燃焼バーナの向きなどを変更することなく防止でき、よって安定した燃焼を行うことができる。
【００１０】
請求項２に係る燃料電池の改質器用燃焼バーナにあっては、吸水部は、耐熱性三次元多孔体からなるように構成したので、簡易な構成でありながら、上記した効果を得ることができる。
【００１１】
請求項３に係る燃料電池の改質器用燃焼バーナにあっては、耐熱性三次元多孔体は、発泡金属とセラミックス多孔体の内のいずれかからなるように構成したので、請求項２で述べた効果をより一層得ることができる。
【発明を実施するための最良の形態】
【００１２】
以下、添付図面に即してこの発明に係る燃料電池の改質器用燃焼バーナの最良の実施の形態について説明する。
【実施例】
【００１３】
図１は、この発明の実施例に係る燃料電池の改質器用燃焼バーナを有する改質装置を説明するための概略図である。
【００１４】
図１において、符号１０は燃料電池（スタック）を示す。燃料電池１０は、電解質膜（固体高分子膜）と、それを挟持するカソード極（空気極）とアノード極（燃料極）と、各電極の外側に配置されるセパレータとから構成される単電池を複数個積層して形成された、公知の固体高分子型燃料電池である。
【００１５】
燃料電池１０には、カソード極にカソードガス（反応空気）を供給するカソードガス供給系１２と、アノード極にアノードガス（改質ガス。水素混合ガス）を供給するアノードガス供給系１４とが接続される。
【００１６】
カソードガス供給系１２は、大気（空気）の粉塵を除去するエアクリーナ１６と、エアクリーナ１６を通過した空気をカソードガスとして燃料電池１０に圧送するカソードガスポンプ２０と、カソードガスポンプ２０を燃料電池１０のカソード極の入口（図示せず）に接続するカソードガス流路２２とを備える。
【００１７】
アノードガス供給系１４は、改質用燃料（例えば、脱硫された都市ガス）と水蒸気を改質触媒（図１で図示せず）で反応させ、燃料電池１０のアノード極に供給されるべき水素を含有した改質ガス（アノードガス）を生成する改質装置２４と、改質装置２４を燃料電池１０のアノード極の入口（図示せず）に接続するアノードガス流路２６とを備える。この改質装置２４については、後に詳説する。
【００１８】
燃料電池１０は、燃料電池１０で発生した電力を出力する出力端子２８を備えると共に、出力端子２８には電力制御系３０が接続される。電力制御系３０は、マイクロコンピュータなどからなる電子制御ユニット（Electronic Control Unit。以下「ＥＣＵ」という）３２、直流電流を所定の周波数の交流電流に変換するインバータ３４などを備える。尚、ＥＣＵ３２は、カソードガスポンプ２０やインバータ３４、後述する燃焼バーナの点火電極などの補機類の動作を制御する。
【００１９】
また、燃料電池１０には、燃料電池１０から排出されたカソードガス（以下「カソードオフガス」という）を排気する排気系３６と、燃料電池１０で使用されなかったアノードガス（未反応ガス。以下「アノードオフガス」という）などを燃料電池１０や改質装置２４に還流させる還流系４０が接続される。
【００２０】
還流系４０は、燃料電池１０のアノードオフガスを排出するアノードオフガス排出口（図示せず）と前記したアノードガス流路２６とを接続する第１のアノードオフガス流路４２と、第１のアノードオフガス流路４２から分岐され、第１のアノードオフガス流路４２と後述する改質装置２４の改質器（正確には、燃焼バーナの加熱用燃料導入部（図１で図示せず））とを接続する第２のアノードオフガス流路４４とを備える。さらに、還流系４０は、アノードガス流路２６から分岐され、アノードガス流路２６と第２のアノードオフガス流路４４とを接続するアノードガス還流路４６を備える。
【００２１】
尚、燃料電池１０には、上記した各構成要素の他に、燃料電池１０を冷却する冷却系やカソードガスを加湿する加湿器なども接続されるが、それらは本願の要旨と直接の関係を有しないので、いずれも図示および説明を省略する。
【００２２】
次いで、燃料電池１０の動作について説明する。
【００２３】
燃料電池１０のカソード極に供給されたカソードガスは、アノード極に供給されたアノードガスと電気化学反応を生じる。カソード極およびアノード極で生じる電極反応は、具体的には下記の通りである。
アノード極：Ｈ２→２Ｈ＋＋２ｅ−
カソード極：１／２Ｏ２＋２Ｈ＋＋２ｅ−→Ｈ２Ｏ
従って、全体の反応は下記となる。
全体：Ｈ２＋１／２Ｏ２→Ｈ２Ｏ
【００２４】
上記の反応によって燃料電池１０が発生した電力（直流電流）は、出力端子２８から取り出され、その一部がＥＣＵ３２やカソードガスポンプ２０などの補機類の電源として使用されると共に、残部がインバータ３４を介して電気負荷（交流電源機器）５０に供給される。
【００２５】
燃料電池１０から排出されたカソードオフガスは、排気系３６を介して大気中に排出される。また、燃料電池１０で使用されずに排出されたアノードオフガスは、第１のアノードオフガス流路４２を介してアノードガス流路２６に還流され、再度燃料電池１０に供給される。アノードオフガスはさらに、第１および第２のアノードオフガス流路４２，４４を介して改質装置２４の燃焼バーナ（後述）に供給される。尚、改質装置２４において生成されたアノードガスの一部も、アノードガス流路２６、アノードガス還流路４６および第２のアノードオフガス流路４４を介して改質装置２４の燃焼バーナに供給される。
【００２６】
次いで、燃料電池１０の改質装置２４について詳説する。
【００２７】
改質装置２４は、都市ガスの付臭剤（有機硫黄化合物など）を除去する脱硫器５４と、脱硫器５４を通過した都市ガス（改質用燃料）が流入させられる改質器５６と、脱硫器５４を改質器５６（正確には、後述する改質器５６の改質用燃料管および燃焼バーナの燃焼空気・改質用燃料導入部（いずれも図１で図示せず））に接続する改質用燃料流路６０と、改質に使用される水（以下「改質用水」という）を改質器５６に圧送する送水ポンプ６２と、送水ポンプ６２を改質器５６（正確には、後述する改質器５６の改質用水管（図１で図示せず））に接続する改質用水流路６４とを備える。
【００２８】
改質装置２４はさらに、大気の粉塵を除去するエアクリーナ６６と、エアクリーナ６６を通過した空気を加熱用燃料を燃焼させるための空気（以下「燃焼空気」という）として改質器５６に圧送する燃焼空気ポンプ７０と、燃焼空気ポンプ７０を改質器５６（正確には、燃焼バーナの燃焼空気・改質用燃料導入部）に接続する燃焼空気流路７２と、改質器５６で発生する燃焼排ガスを大気中に排出する燃焼排ガス流路７４とを備える。
【００２９】
図２は、改質器５６の断面を示す説明断面図である。
【００３０】
図示の如く、改質器５６は、改質用燃料と改質用水を改質触媒によって反応させる改質部７６と、改質部７６の改質触媒を加熱する加熱部８０と、略円筒状を呈すると共に、改質部７６および加熱部８０を収容するケース部８２とを備える。
【００３１】
改質部７６は、前記した改質用燃料流路６０に接続される改質用燃料管８４と、改質用水流路６４に接続される改質用水管８６と、改質触媒９０が充填される改質管９２と、改質管９２に接続される改質ガス管９４と、改質ガス管９４の途中に介挿されると共に、改質ガスに残存する一酸化炭素（ＣＯ）を除去するＣＯ除去部９６とを備える。
【００３２】
加熱部８０は、ケース部８２の上端８２ａに配置される燃焼バーナ（改質器用燃焼バーナ）１００と、燃焼バーナ１００の紙面において下方に接続される燃焼室１０２と、燃焼室１０２における燃焼バーナ１００の燃焼によって発生した燃焼排ガスを排出する燃焼排ガス管１０４とを備える。
【００３３】
図３は、加熱部８０の燃焼バーナ１００付近の断面を拡大して示す拡大説明断面図である。
【００３４】
燃焼バーナ１００は、前記した第２のアノードオフガス流路４４に接続され、燃料電池１０から排出されたアノードオフガスや改質装置２４において生成されたアノードガスの一部、別言すれば、改質ガスを加熱用燃料として導入する加熱用燃料導入部（導入部）１１０と、燃焼空気流路７２および改質用燃料流路６０に接続され、燃焼空気および改質用燃料を加熱用燃料として導入する燃焼空気・改質用燃料導入部１１２と、加熱用燃料と燃焼空気を混合させる燃焼管１１４と、燃焼管１１４の内部であって加熱用燃料の流れにおいて加熱用燃料導入部１１０の下流側に配置されて加熱用燃料に含まれる水分を吸収する耐熱性三次元多孔体（吸水部）１１６と、燃焼管１１４の下端付近、換言すれば、加熱用燃料の流れにおいて耐熱性三次元多孔体１１６の下流側に配置され、点火されるとき加熱用燃料を燃焼させる点火電極（点火部）１２０とを備える。
【００３５】
加熱用燃料導入部１１０は、図３に示す如く、逆Ｌ字状を呈すると共に、第２のアノードオフガス流路４４から流入させられる加熱用燃料を燃焼管１１４に導入する加熱用燃料導入管１２２を備える。また加熱用燃料導入管１２２の下端には、複数個（具体的には６個（３個のみ図示する））のガス透過孔１２２ａが略等間隔に穿設される。従って、加熱用燃料導入管１２２を流れる加熱用燃料は、ガス透過孔１２２ａを通過することで、拡散させられつつ燃焼管１１４に導入される。また、燃焼空気・改質用燃料導入部１１２は、燃焼空気流路７２と改質用燃料流路６０から流入させられる燃焼空気と改質用燃料を、燃焼管１１４に導入する燃焼空気・改質用燃料導入管１２４からなる。
【００３６】
燃焼管１１４は略円筒状を呈すると共に、耐熱性三次元多孔体１１６は燃焼管１１４に充填される形状、即ち、略円柱状を呈する。耐熱性三次元多孔体１１６は、耐熱性を有すると共に、三次元的な網目構造、具体的には、直径１［μｍ］程度の均質な気孔をもち、通過する気体に含まれる水分を吸収可能な物質である。より具体的には、ニッケル（Ｎｉ）あるいは銅（Ｃｕ）から製作される発泡金属と、セラミックス多孔体の内のいずれかからなる。
【００３７】
図２の説明に戻ると、加熱部８０の燃焼室１０２は、その上部１０２ａがケース部８２の上端８２ａ付近である一方、下部１０２ｂがケース部８２の下端８２ｂ付近となるようにして配置される。燃焼室１０２は、下部１０２ｂにおいて燃焼排ガス管１０４と連通される。燃焼排ガス管１０４は、燃焼室１０２の外壁１０２ｃに沿うようにして上方に延設された後、ケース部８２の上端８２ａ付近で屈曲し、その後前記した燃焼排ガス流路７４に接続される。
【００３８】
改質部７６の改質用水管８６は、燃焼室１０２と燃焼排ガス管１０４などを取り囲むようにして配置されたリング状のＣＯ除去部９６の外周９６ａを、複数回（４回）周回するようにして配置され、その後燃焼排ガス管１０４の内部１０４ａに配置される。燃焼排ガス管１０４の内部１０４ａに配置された改質用水管８６は、燃焼室１０２の外壁１０２ｃに接触させられつつ、その周りを複数回（４回）周回するようにして配置される。
【００３９】
改質用水管８６には、改質用燃料管８４が接続部１３０を介して接続される。以下、改質用水管８６の改質用水の流れにおいて接続部１３０より下流側の改質用水管８６を「改質用燃料・水管」と呼び、符号１３２で示す。改質用燃料・水管１３２はさらに、燃焼室１０２の外壁１０２ｃを複数回（４回）周回するように配置された後、改質管９２に接続される。
【００４０】
改質管９２は、燃焼排ガス管１０４に接触させられつつ下方に向けて延設されると共に、その下端９２ａにおいて改質ガス管９４と連通される。改質ガス管９４は、改質管９２の外壁９２ｂに沿うようにして上方に延設された後、ケース部８２の上端８２ａ付近で屈曲し、その後前記したアノードガス流路２６に接続される。尚、改質器５６のケース部８２の内部において、上記した燃焼室１０２や改質管９２などの各構成要素以外の空間には、断熱材１３４が配置（充填）される。
【００４１】
次いで、上記の如く構成された改質装置２４の動作を、図１から図３を参照して説明する。
【００４２】
都市ガス供給源（図示せず）から供給される都市ガスは、脱硫器５４で付臭剤が除去される。これにより、都市ガスの流れにおいて下流側に配置される改質触媒９０などが、硫黄によって被毒するのを防ぐことができる。付臭剤が除去された都市ガス、即ち、改質用燃料は、燃料電池１０の始動時においては、改質用燃料流路６０を介して改質器５６、より詳しくは、改質器５６の燃焼バーナ１００の燃焼空気・改質用燃料導入部１１２に加熱用燃料として供給される。
【００４３】
また、燃焼空気ポンプ７０によって吸引され、エアクリーナ６６で粉塵が除去された燃焼空気も、燃焼空気流路７２を介して燃焼バーナ１００の燃焼空気・改質用燃料導入部１１２に供給される。燃焼空気・改質用燃料導入部１１２に供給された改質用燃料と燃焼空気、即ち、混合気は燃焼管１１４に向けて吐出させられる。
【００４４】
混合気が燃焼管１１４内の耐熱性三次元多孔体１１６を通過するとき、混合気に含まれる水分は耐熱性三次元多孔体１１６によって吸収される。尚、このとき耐熱性三次元多孔体１１６を通過する改質用燃料と燃焼空気は比較的乾燥した気体であるため、耐熱性三次元多孔体１１６によって吸収される水分は僅かな量である。
【００４５】
耐熱性三次元多孔体１１６を通過した混合気は、点火電極１２０によって点火（着火）されて燃焼させられる。燃焼バーナ１００の燃焼によって発生した燃焼排ガスは、図２に矢印で示すように、紙面下方に向けて流れる。燃焼排ガスは、燃焼室１０２の内部を通過して燃焼排ガス管１０４に供給される。燃焼排ガス管１０４に供給された燃焼排ガスは、燃焼排ガス管１０４の内部１０４ａや壁面を昇温させつつ図２において上方へ流れる。このとき、改質管９２は、その外壁９２ｂが燃焼排ガス管１０４に接触するようにして配置されるため、燃焼排ガス管１０４の熱が伝達されて加熱される。それに伴って、改質管９２の内部に充填された改質触媒９０も加熱されて昇温される。燃焼排ガス管１０４の燃焼排ガスはその後、燃焼排ガス流路７４へ流入させられて大気中に排出される。
【００４６】
図示しない改質触媒温度センサなどの出力に基づいて、改質触媒９０が改質可能な温度（具体的には、７００［℃］程度）まで加熱されたと判断されると、改質装置２４において、改質動作が開始される。具体的には、送水ポンプ６２で吸引された水供給源（図示せず）の改質用水は、改質用水流路６４を介して改質用水管８６に流入させられる。
【００４７】
改質用水管８６は、比較的高温となるＣＯ除去部９６の外周９６ａを周回するように配置されると共に、前述した燃焼排ガスによって昇温させられた燃焼排ガス管１０４の内部１０４ａに配置されているため、それらによって加熱されることとなる。これにより、改質用水管８６に流入させられた改質用水は蒸発して水蒸気となり、その水蒸気は、接続部１３０において、改質用燃料流路６０を介して改質用燃料管８４に流入させられた改質用燃料と合流して混合される。
【００４８】
混合された改質用燃料と水蒸気は、改質用燃料・水管１３２内を通過した後、改質管９２に流入させられる。改質管９２の改質触媒９０は、燃焼排ガス管１０４よって加熱されて改質可能な温度まで昇温させられているため、水蒸気改質反応が起こる、即ち、混合された改質用燃料と水蒸気から水素を含有する改質ガスが生成される。
【００４９】
この水蒸気改質反応は、具体的には下記の通りである。
ＣＨ４＋Ｈ２Ｏ→ＣＯ＋３Ｈ２
このとき生成される一酸化炭素の一部は、さらに水蒸気と反応して水素と二酸化炭素が生成される（即ち、シフト反応が起こる）。具体的には下記の通りである。
ＣＯ＋Ｈ２Ｏ→ＣＯ２＋Ｈ２
【００５０】
生成された改質ガスは、改質ガス管９４を介してＣＯ除去部９６に流入させられる。ここで、改質ガスは、改質ガスに残存するＣＯが除去された後、アノードガス流路２６に流入させられる。このように、改質器５６によって改質動作が行われて改質ガス（アノードガス）が生成される。
【００５１】
改質ガスが燃料電池１０に供給されると、燃料電池１０において前述した電気化学反応が起こり、電力が発生させられて燃料電池１０は、通常運転となる。燃料電池１０の通常運転時にあっては、改質用燃料流路６０から燃焼空気・改質用燃料導入部１１２へ供給される改質用燃料の量が徐々に減少させられ、最終的にはその供給が停止される。
【００５２】
改質用燃料の供給量の減少に伴って燃焼バーナ１００には、改質用燃料に代えて改質ガスが加熱用燃料として供給される。具体的には、改質ガス（具体的には、第２のアノードオフガス流路４４を流れるアノードオフガスおよびアノードガス）が、燃焼バーナ１００の加熱用燃料導入部１１０に供給（導入）される。
【００５３】
改質ガスは、燃焼管１１４において燃焼空気・改質用燃料導入部１１２からの燃焼空気と混合されると共に、その混合気が耐熱性三次元多孔体１１６を通過するとき、混合気に含まれる水分が耐熱性三次元多孔体１１６によって吸収される。この耐熱性三次元多孔体１１６を通過する改質ガスは、上記した如く、水蒸気改質反応によって生成されるため、比較的湿潤な気体である。そのため、混合気に含まれる水分の多くは耐熱性三次元多孔体１１６によって吸収される。尚、燃焼管１１４が配置される燃焼室１０２は、約２００〜８００［℃］の高温となるため、その輻射熱によって耐熱性三次元多孔体１１６は熱せられ、前記吸収された水分は２００［℃］以上となって蒸発する。
【００５４】
水分が除去された混合気はその後、点火電極１２０によって点火されて燃焼させられる。尚、改質ガスを含む混合気を燃焼バーナで燃焼させる場合であっても、燃焼排ガスの流れなどは前述と同じであるため、説明を省略する。
【００５５】
このように、加熱用燃料、正確には、改質ガスを導入する加熱用燃料導入部１１０と、加熱用燃料の流れにおいて加熱用燃料導入部１１０の下流側に配置されて加熱用燃料に含まれる水分を吸収する吸水部、具体的には、耐熱性三次元多孔体１１６と、耐熱性三次元多孔体１１６の下流側に配置され、点火されるとき加熱用燃料を燃焼させる点火電極１２０とを備えるように構成したので、加熱用燃料に含まれる水分の多くは耐熱性三次元多孔体１１６によって吸収され、点火電極１２０に接触することがない。それにより、水分を多く含んだ加熱用燃料が燃焼バーナに供給されることに起因する失火を、燃焼バーナ１００の向きなどを変更することなく防止でき、よって安定した燃焼を行うことができる。
【００５６】
また、耐熱性三次元多孔体１１６は、発泡金属とセラミックス多孔体の内のいずれかからなるように構成したので、簡易な構成でありながら、水分を含んだ加熱用燃料が燃焼バーナに供給されることに起因する失火を防止でき、安定した燃焼を行うことができる。
【００５７】
また、耐熱性三次元多孔体１１６を燃焼管１１４の内部に配置するように構成したので、燃焼管１１４を任意の方向に配置することも可能となり、よって燃焼管１１４の方向性の自由度を増加することができる。
【００５８】
以上のように、この発明の実施例にあっては、改質用燃料と水蒸気を反応させて燃料電池（１０）に供給されるべき改質ガスを生成する改質触媒（９０）を加熱する、燃料電池の改質器用燃焼バーナ（燃焼バーナ１００）において、加熱用燃料を導入する導入部（加熱用燃料導入部１１０）と、前記加熱用燃料の流れにおいて前記導入部の下流側に配置されて前記加熱用燃料に含まれる水分を吸収する吸水部（耐熱性三次元多孔体１１６）と、前記吸水部の下流側に配置され、点火されるとき前記加熱用燃料を燃焼させる点火部（点火電極１２０）とを備えるように構成した。
【００５９】
また、前記吸水部は、耐熱性三次元多孔体（１１６）からなるように構成した。
【００６０】
また、前記耐熱性三次元多孔体（１１６）は、発泡金属とセラミックス多孔体の内のいずれかからなるように構成した。
【００６１】
尚、上記において、燃料電池１０を固体高分子型としたが、それに限られるものではなく、他の形式であってもよい。
【００６２】
また、改質用燃料として都市ガスを使用するよう構成したが、ＬＰガスなどであってもよい。
【図面の簡単な説明】
【００６３】
【図１】この発明の実施例に係る燃料電池の改質器用燃焼バーナを有する改質装置を説明するための概略図である。
【図２】図１に示す改質装置の改質器の断面を示す説明断面図である。
【図３】図２に示す燃焼バーナ付近の断面を拡大して示す拡大説明断面図である。
【符号の説明】
【００６４】
１０  燃料電池、９０  改質触媒、１００  燃焼バーナ（改質器用燃焼バーナ）、１１０  加熱用燃料導入部（導入部）、１１６  耐熱性三次元多孔体（吸水部）、１２０  点火電極（点火部）
【図１】
2007311164.tif 000003
【図２】
2007311164.tif 000004
【図３】
2007311164.tif 000005